(57)【要約】【課題】袋本体の内圧が高くなっても、嵌合させた雄型嵌合部と雌型嵌合部が脱離しにくく、袋体の開口部が予期せず開いてしまうことを抑制できる嵌合具、及び該嵌合具を具備する嵌合具付き袋体の提供を目的とする。【解決手段】帯状の第１の基材１２及び第１の基材１２に長手方向に設けられた雄型嵌合部１３を有する第１の嵌合部材１１と、帯状の第２の基材１５及び第２の基材１５に長手方向に設けられた雌型嵌合部１６を有する第２の嵌合部材１４とを有し、雄型嵌合部１３の幹部１３ａが、第１の基材１２及び頭部１３ｂを形成する樹脂よりも軟質な樹脂で形成されている、嵌合具１０。内容物を収容する袋本体と、前記袋本体の内面に取り付けられた嵌合具１０と、を具備する、嵌合具付き袋体。【選択図】図２
2016037316.tif 000002
【特許請求の範囲】
【請求項１】
一対の帯状の第１の嵌合部材及び第２の嵌合部材を有し、
前記第１の嵌合部材が、帯状の第１の基材と、前記第１の基材に長手方向に沿って設けられた雄型嵌合部と、を有し、
前記第２の嵌合部材が、帯状の第２の基材と、前記第２の基材に長手方向に沿って設けられ、前記雄型嵌合部と着脱自在に嵌合する雌型嵌合部と、を有し、
前記雄型嵌合部が、前記第１の基材の対向面から立ち上がる突条の幹部と、該幹部の先端部に設けられた該幹部よりも大きい頭部と、を有し、
前記雌型嵌合部が、前記第２の基材の対向面から立ち上がる突条の一対のアーム部を有し、
前記雄型嵌合部の幹部が、前記第１の基材及び前記頭部を形成する樹脂よりも軟質な樹脂で形成されている、嵌合具。
【請求項２】
一対の帯状の第１の嵌合部材及び第２の嵌合部材を有し、
前記第１の嵌合部材が、帯状の第１の基材と、前記第１の基材に長手方向に沿って設けられた雄型嵌合部と、を有し、
前記第２の嵌合部材が、帯状の第２の基材と、前記第２の基材に長手方向に沿って設けられ、前記雄型嵌合部と着脱自在に嵌合する雌型嵌合部と、を有し、
前記雄型嵌合部が、前記第１の基材の対向面から立ち上がる突条の幹部と、該幹部の先端部に設けられた該幹部よりも大きい頭部と、を有し、
前記雌型嵌合部が、前記第２の基材の対向面から立ち上がる突条の首部と、該首部の先端部に設けられた一対のアーム部を有し、
前記雄型嵌合部の幹部が、前記第１の基材及び前記頭部を形成する樹脂よりも軟質な樹脂で形成されているか、もしくは前記雌型嵌合部の首部が、前記第２の基材及び前記一対のアーム部を形成する樹脂よりも軟質な樹脂で形成されているか、又はその両方である、嵌合具。
【請求項３】
内容物を収容する袋本体と、前記袋本体の内面に取り付けられた請求項１又は２に記載の嵌合具と、を具備する、嵌合具付き袋体。
【発明の詳細な説明】
【技術分野】
【０００１】
本発明は、嵌合具及び嵌合具付き袋体に関する。
【背景技術】
【０００２】
食品、薬品、雑貨等を収容する袋体には、開封後に開口部を繰り返し開閉できるようにするため、袋本体の開口部近傍の内面に、開口部を開閉自在に封じる嵌合具が取り付けられた嵌合具付き袋体が用いられることが多い。
【０００３】
嵌合具としては、例えば、帯状の基材及び該基材の長手方向に沿って設けられた雄型嵌合部を有する第１の嵌合部材と、帯状の基材及び該基材の長手方向に沿って設けられた雌型嵌合部を有する第２の嵌合部材と、を有する嵌合具が挙げられる（例えば、特許文献１）。該嵌合具においては、雄型嵌合部と雌型嵌合部とが着脱自在に嵌合できるようになっている。
【０００４】
一対の平面部を有する袋本体の開口部近傍において、一方の平面部の内面に前記嵌合具の第１の嵌合部材の基材を取り付け、他方の平面部の内面に前記嵌合具の第２の嵌合部材の基材を取り付けることで嵌合具付き袋体とされる。該嵌合具付き袋体では、雄型嵌合部と雌型嵌合部とを着脱させることで、袋本体の開口部の開閉が繰り返し行える。
しかし、該嵌合具付き袋体では、袋本体内に収容する内容物が多い場合等、嵌合具によって開口部を閉じた袋本体内の内圧が高くなると、その内圧によって嵌合具が内容物側から予期せず開いてしまうことがある。
【０００５】
以下、図１１に例示した嵌合具付き袋体１０１（以下、袋体１０１という。）を例に具体的に説明する。
袋体１０１は、一対の平面部１２１，１２２を有する袋本体１２０と、袋本体１２０の開口部１２３近傍の内面に取り付けられた嵌合具１１０とを有する。
嵌合具１１０は、帯状の第１の基材１１２及び第１の基材１１２に長手方向に設けられた雄型嵌合部１１３を有する第１の嵌合部材１１１と、帯状の第２の基材１１５及び第２の基材１１５に長手方向に設けられた雌型嵌合部１１６を有する第２の嵌合部材１１４と、を有する。雄型嵌合部１１３は、第１の基材１１２から立ち上がる幹部１１３ａと、幹部１１３ａの先端部に設けられた頭部１１３ｂを有している。雌型嵌合部１１６は、第２の基材１１５から円弧状に立ち上がる第１のアーム部１１６ａ及び第２のアーム部１１６ｂを有し、第１のアーム部１１６ａ及び第２のアーム部１１６ｂにより凹部１１６ｃが形成されている。嵌合具１１０は、第１の基材１１２が袋本体１２０の平面部１２１の内面、第２の基材１１５が袋本体１２０の平面部１２２の内面に取り付けられている。
雌型嵌合部１１６の第１のアーム部１１６ａ及び第２のアーム部１１６ｂにより形成される凹部１１６ｃに雄型嵌合部１１３の頭部１１３ｂを嵌め込んだり、脱離させたりすることにより、袋体１０１の開口部１２３を繰り返し開閉できる。
【０００６】
袋体１０１において、袋本体１２０の内圧が高くなると、図１２に示すように、平面部１２１と平面部１２２の内容物側が広がり、それに伴って嵌合具１１０の第１の基材１１２及び第２の基材１１５の内容物側が広がる。このとき、第１の基材１１２の動きに追従して雄型嵌合部１１３の頭部１１３ｂが内容物側を向くように回動し、その頭部１１３ｂの内容物側の部分によって雌型嵌合部１１６の第２のアーム部１１６ｂが押し開かれる。また、雌型嵌合部１１６の第２のアーム部１１６ｂは第２の基材１１５の内容物側が開く動きに引っ張られることでも内容物側に開かれる。このように、袋本体１２０の内圧が高くなることで、雄型嵌合部１１３の頭部１１３ｂと雌型嵌合部１１６の第２のアーム部１１６ｂとの引っ掛かりが不充分になる。その結果、雄型嵌合部１１３の頭部１１３ｂが雌型嵌合部１１６の凹部１１６ｃから離脱しやすくなり、袋体１０１が予期せず開いてしまうことがある。
【先行技術文献】
【特許文献】
【０００７】
【特許文献１】特開２００３−１６０１４７号公報
【発明の概要】
【発明が解決しようとする課題】
【０００８】
本発明は、袋本体の内圧が高くなっても、嵌合させた雄型嵌合部と雌型嵌合部が脱離しにくく、袋体の開口部が予期せず開いてしまうことを抑制できる嵌合具、及び該嵌合具を具備する嵌合具付き袋体を提供することを目的とする。
【課題を解決するための手段】
【０００９】
本発明は、以下の［１］〜［３］の構成を有する嵌合具及び嵌合具付き袋体を提供する。
［１］一対の帯状の第１の嵌合部材及び第２の嵌合部材を有し、
前記第１の嵌合部材が、帯状の第１の基材と、前記第１の基材に長手方向に沿って設けられた雄型嵌合部と、を有し、
前記第２の嵌合部材が、帯状の第２の基材と、前記第２の基材に長手方向に沿って設けられ、前記雄型嵌合部と着脱自在に嵌合する雌型嵌合部と、を有し、
前記雄型嵌合部が、前記第１の基材の対向面から立ち上がる突条の幹部と、該幹部の先端部に設けられた該幹部よりも大きい頭部と、を有し、
前記雌型嵌合部が、前記第２の基材の対向面から立ち上がる突条の一対のアーム部を有し、
前記雄型嵌合部の幹部が、前記第１の基材及び前記頭部を形成する樹脂よりも軟質な樹脂で形成されている、嵌合具。
［２］一対の帯状の第１の嵌合部材及び第２の嵌合部材を有し、
前記第１の嵌合部材が、帯状の第１の基材と、前記第１の基材に長手方向に沿って設けられた雄型嵌合部と、を有し、
前記第２の嵌合部材が、帯状の第２の基材と、前記第２の基材に長手方向に沿って設けられ、前記雄型嵌合部と着脱自在に嵌合する雌型嵌合部と、を有し、
前記雄型嵌合部が、前記第１の基材の対向面から立ち上がる突条の幹部と、該幹部の先端部に設けられた該幹部よりも大きい頭部と、を有し、
前記雌型嵌合部が、前記第２の基材の対向面から立ち上がる突条の首部と、該首部の先端部に設けられた一対のアーム部を有し、
前記雄型嵌合部の幹部が、前記第１の基材及び前記頭部を形成する樹脂よりも軟質な樹脂で形成されているか、もしくは前記雌型嵌合部の首部が、前記第２の基材及び前記一対のアーム部を形成する樹脂よりも軟質な樹脂で形成されているか、又はその両方である、嵌合具。
［３］内容物を収容する袋本体と、前記袋本体の内面に取り付けられた前記［１］又は［２］の嵌合具と、を具備する、嵌合具付き袋体。
【発明の効果】
【００１０】
本発明の嵌合具は、袋本体の内圧が高くなっても、嵌合させた雄型嵌合部と雌型嵌合部が脱離しにくく、袋体の開口部が予期せず開いてしまうことを抑制できる。
本発明の嵌合具付き袋体は、袋体の開口部が予期せず開いてしまうことが抑制されている。
【図面の簡単な説明】
【００１１】
【図１】本発明の嵌合具の一例を示した斜視図である。
【図２】図１の化合具のＡ−Ａ断面図である。
【図３】本発明の嵌合具付き袋体の一例を示した正面図である。
【図４】図３の嵌合具付き袋体のＢ−Ｂ断面図である。
【図５】図４の嵌合具付き袋体を開封した様子を示した断面図である。
【図６】図５の嵌合具付き袋体の内容物側が広がった様子を示した断面図である。
【図７】本発明の他の例の嵌合具付き袋体を示した断面図である。
【図８】開口部を嵌合具で閉じた図７の嵌合具付き袋体の内容物側が広がった様子を示した断面図である。
【図９】本発明の他の例の嵌合具付き袋体の内容物側が広がった様子を示した断面図である。
【図１０】本発明の他の例の嵌合具付き袋体の内容物側が広がった様子を示した断面図である。
【図１１】従来の嵌合具付き袋体の一例を示した断面図である。
【図１２】図１０の嵌合具付き袋体の内容物側が広がった様子を示した断面図である。
【発明を実施するための形態】
【００１２】
本発明の嵌合具及び嵌合具付き袋体は、嵌合具の雌型嵌合部の形態に応じて以下の２種類に大別される。
（α）雌型嵌合部が首部を有さない形態。
（β）雌型嵌合部が首部を有する形態。
以下、本発明の嵌合具及び嵌合具付き袋体について、形態（α）と形態（β）に分けてそれぞれ説明する。
【００１３】
＜第１実施形態：形態（α）＞
［嵌合具］
本実施形態の嵌合具１０は、図１及び図２に示すように、一対の帯状の第１の嵌合部材１１と第２の嵌合部材１４とを有する。
第１の嵌合部材１１は、帯状の第１の基材１２と、第１の基材１２の対向面１２ａに長手方向に沿って設けられた突条の雄型嵌合部１３と、を有する。雄型嵌合部１３は、第１の基材１２の対向面１２ａから立ち上がる突条の幹部１３ａと、幹部１３ａの先端部に設けられた幹部１３ａよりも大きい頭部１３ｂと、を有する。
第２の嵌合部材１４は、帯状の第２の基材１５と、第２の基材１５の対向面１５ａに長手方向に沿って設けられ、雄型嵌合部１３と着脱自在に嵌合する雌型嵌合部１６と、を有する。雌型嵌合部１６は、第２の基材１５の対向面１５ａから断面円弧状に立ち上がる第１のアーム部１６ａと第２のアーム部１６ｂからなり、第１のアーム部１６ａと第２のアーム部１６ｂによって凹部１６ｃが形成されている。
嵌合具１０では、雄型嵌合部１３の頭部１３ｂを雌型嵌合部１６の凹部１６ｃに嵌め込むことで、雄型嵌合部１３と雌型嵌合部１６を着脱自在に嵌合できるようになっている。
【００１４】
（第１の嵌合部材）
第１の基材１２としては、特に限定されず、公知の嵌合具の基材に使用されるものが使用でき、積層フィルムであることが好ましい。積層フィルムとしては、例えば、対向面１２ａ側から、耐熱層とヒートシール層が積層されたフィルムが挙げられる。また、前記耐熱層とヒートシール層の間にはバリア層が形成されていてもよい。
【００１５】
耐熱層の材質としては、例えば、示差走査熱量計（ＤＳＣ）による最高融解ピーク温度が１２０℃以上であるポリエチレン、ポリプロピレン等のオレフィン系樹脂、ポリエステル系樹脂等が挙げられる。
ヒートシール層の材質としては、耐熱層よりも融点が低い樹脂がよく、例えば直鎖状低密度ポリエチレン、ポリプロピレン、エチレン−酢酸ビニル共重合体、エチレン−アクリル酸エステル共重合体、エチレン−メタクリル酸エステル共重合体、アイオノマー等が挙げられる。
バリア層の材質としては、ポリビニルアルコール等が挙げられる。
【００１６】
第１の基材１２は、１種の樹脂からなっていてもよく、２種以上の樹脂を含む樹脂組成物からなっていてもよい。また、第１の基材１２は、積層フィルムには限定されず、単層フィルムであってもよい。
また、第１の基材１２には、必要に応じて安定剤、酸化防止剤、滑剤、帯電防止剤、着色剤等の公知の添加剤が添加されていてもよい。
【００１７】
嵌合具１０では、雄型嵌合部１３の幹部１３ａが、雄型嵌合部１３の頭部１３ｂ及び第１の基材１２を形成する樹脂よりも軟質な樹脂で形成されている。すなわち、雄型嵌合部１３の幹部１３ａが、雄型嵌合部１３の頭部１３ｂ及び第１の基材１２よりも軟質になっている。これにより、嵌合具１０を取り付けた嵌合部付き袋体の内圧が高くなって第１の基材１２の内容物側が広がっても、雄型嵌合部１３の幹部１３ａが折れ曲がることで、雄型嵌合部１３の頭部１３ｂが雌型嵌合部１６の凹部１６ｃに嵌まり込んだ状態が維持されやすくなる。その結果、嵌合具１０で閉じた袋体の開口部が予期せず開くことが抑制される。
雄型嵌合部１３の形状は、幹部１３ａ及び頭部１３ｂを有するものであればよく、幹部１３ａ及び頭部１３ｂを有する以外は公知の形状を採用できる。
【００１８】
幹部１３ａの曲げ弾性率ＥＡは、１００〜８００ＭＰａが好ましく、１００〜５００ＭＰａがより好ましい。幹部１３ａの曲げ弾性率ＥＡが下限値以上であれば、成形時の安定性が良く、また、成形物の嵌合時の感触に優れている。幹部１３ａの曲げ弾性率ＥＡが上限値以下であれば、袋体の内圧が高まっても雄型嵌合部１３と雌型嵌合部１６の嵌合状態が維持されやすくなる。そのため、嵌合具１０で閉じた袋体の開口部が予期せず開くことがより抑制されやすくなる。
なお、幹部１３ａの曲げ弾性率ＥＡとは、幹部１３ａを形成する樹脂を用いて、ＪＩＳ  Ｋ７１７１に規定される方法で測定される値を意味する（他の部分の曲げ弾性率についても同様。）。
【００１９】
雄型嵌合部１３の頭部１３ｂの曲げ弾性率ＥＢと幹部１３ａの曲げ弾性率ＥＡの差（ＥＢ−ＥＡ）は、５０〜３００ＭＰａが好ましく、５０〜２００ＭＰａがより好ましい。前記差（ＥＢ−ＥＡ）が下限値以上であれば、袋体の内圧が高まっても雄型嵌合部１３と雌型嵌合部１６の嵌合状態が維持されやすくなる。そのため、嵌合具１０で閉じた袋体の開口部が予期せず開くことがより抑制されやすくなる。前記差（ＥＢ−ＥＡ）が上限値以下であれば、成形時の樹脂の相溶性が良く成形しやすい。
【００２０】
第１の基材１２の曲げ弾性率ＥＣと雄型嵌合部１３の幹部１３ａの曲げ弾性率ＥＡの差（ＥＣ−ＥＡ）は、５０〜３００ＭＰａが好ましく、５０〜２００ＭＰａがより好ましい。前記差（ＥＣ−ＥＡ）が下限値以上であれば、袋体の内圧が高まっても雄型嵌合部１３と雌型嵌合部１６の嵌合状態が維持されやすくなる。そのため、嵌合具１０で閉じた袋体の開口部が予期せず開くことがより抑制されやすくなる。前記差（ＥＣ−ＥＡ）が上限値以下であれば、製袋時の加工温度により、成形物に影響が起こりにくい。
【００２１】
雄型嵌合部１３の頭部１３ｂを形成する樹脂としては、公知の雄型嵌合部で通常用いられる樹脂を用いることができ、例えば、第１の基材１２で挙げたものと同じものが挙げられる。
頭部１３ｂを形成する樹脂は、１種でもよく、２種以上でもよい。
【００２２】
雄型嵌合部１３の幹部１３ａを形成する樹脂としては、頭部１３ｂ及び第１の基材１２を形成する樹脂よりも軟質な樹脂であればよく、例えば、第１の基材１２で挙げたもののなかから、頭部１３ｂ及び第１の基材１２を形成する樹脂に応じて適宜選択すればよい。雄型嵌合部１３の幹部１３ａを形成する樹脂としては、前記した曲げ弾性率ＥＡの好ましい範囲を満たすものが好ましい。
幹部１３ａを形成する樹脂は、１種でもよく、２種以上でもよい。
【００２３】
第１の嵌合部材１１の態様としては、例えば、雄型嵌合部１３の幹部１３ａを密度０．８５ｇ／ｃｍ３以上０．９１ｇ／ｃｍ３未満の超低密度ポリエチレンにより形成し、頭部１３ｂを密度０．９１ｇ／ｃｍ３以上０．９３ｇ／ｃｍ３未満の低密度ポリエチレンにより形成し、第１の基材１２を密度０．９１ｇ／ｃｍ３以上０．９３ｇ／ｃｍ３未満の低密度ポリエチレンにより形成する態様等が挙げられる。
【００２４】
（第２の嵌合部材）
第２の基材１５の材質は、特に限定されず、公知の嵌合具の基材に使用されるものが使用できる。具体的には、例えば、第１の基材１２で挙げた材質と同じものが挙げられる。第２の基材１５の材質の好ましい態様は、第１の基材１２の好ましい態様と同じである。
第２の基材１５は、１種の樹脂からなっていてもよく、２種以上の樹脂を含む樹脂組成物からなっていてもよい。また、第２の基材１５は、積層フィルムには限定されず、単層フィルムであってもよい。
【００２５】
雌型嵌合部１６の形状は、第１のアーム部１６ａ及び第２のアーム部１６ｂを有し、それらにより凹部１６ｃが形成されている以外は公知の形状を採用できる。
雌型嵌合部１６の材質としては、公知の雌型嵌合部で通常用いられる材質を用いることができ、例えば、第１の基材１２で挙げたものと同じものが挙げられる。
雌型嵌合部１６を形成する樹脂は、１種でもよく、２種以上でもよい。
【００２６】
（製造方法）
本発明の嵌合具１０の製造方法は、特に限定されない。第１の嵌合部材１１の製造方法としては、例えば、雄型嵌合部１３の幹部１３ａを形成する材料と、それ以外の部分を形成する材料とを組み合わせた二色押出成形等が挙げられる。第２の嵌合部材１４の製造方法としては、例えば、押出成形等が挙げられる。
【００２７】
［嵌合具付き袋体］
本実施形態の嵌合具付き袋体１（以下、袋体１という。）は、図３に示すように、内容物を収容する密封された状態の袋本体２０と、袋本体２０内の上部の内面に、横方向に沿って取り付けられた嵌合具１０とを具備している。
【００２８】
袋本体２０は、フィルム材からなる第１の平面部２１及び第２の平面部２２が重ね合わされ、それらの周縁部２３が全てヒートシールされることで形成されており、密封された状態になっている。また、袋本体２０における嵌合具１０よりも上部側には、横方向に沿って切断補助線２４が設けられており、その端部にノッチ２５が形成されている。
【００２９】
嵌合具１０は、図４に示すように、嵌合具１０の第１の基材１２の外側面１２ｂが袋本体２０の第１の平面部２１に溶着され、嵌合具１０の第２の基材１５の外側面１５ｂが袋本体２０の第２の平面部２２に溶着されている。また、この例では、嵌合具１０は、雌型嵌合部１６の第２のアーム部１６ｂが内容物側となるように袋本体２０に取り付けられている。
【００３０】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００３１】
袋本体２０を形成する第１の平面部２１と第２の平面部２２としては、ヒートシールにより嵌合具１０を溶着できるものであればよく、内面側からシーラント層と基材層を少なくとも有する積層フィルムが好ましい。
基材層の材質としては、二軸延伸ナイロン、二軸延伸ポリプロピレン等が挙げられる。
シーラント層の材質としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１の平面部２１と第２の平面部２２は、シーラント層のみからなる単層フィルムであってもよい。
【００３２】
切断補助線２４は、袋本体２０における嵌合具１０よりも上部を切断して開封するのを補助する線である。切断補助線２４としては、例えば、袋本体２０の第１の平面部２１及び第２の平面部２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の横方向に沿って形成されているが、この形態には限定されず、袋本体２０の幅方向に対して傾斜して設けられていてもよい。
【００３３】
ノッチ２５の形状は、この例では三角形状であるが、特に限定されず、半円形状、直線状等であってもよい。
袋体１は、嵌合具１０を用いる以外は公知の方法で製造できる。
【００３４】
（作用効果）
袋体１は、ノッチ２５から切断補助線２４に沿って袋本体２０の上部を切断して除去することで、図５に示すように、上部に開口部２６を形成して開封することができる。袋体１に形成した開口部２６は、嵌合具１０の雄型嵌合部１３と雌型嵌合部１６を着脱することで繰り返し開閉できる。
袋体１においては、嵌合具１０を用いているため、図６に示すように、雄型嵌合部１３が軟質の幹部１３ａの部分で折れ曲がりやすい。そのため、雄型嵌合部１３と雌型嵌合部１６とを嵌合した状態で、袋本体２０の内圧が高まって第１の基材１２及び第２の基材１５の内容物側が広がったときに、雄型嵌合部１３が軟質の幹部１３ａの部分で屈曲する。これにより、第１の基材１２の内容物側が広がっても雄型嵌合部１３の頭部１３ｂがその動きに追従しにくくなり、雄型嵌合部１３と雌型嵌合部１６の嵌合状態が維持されるため、袋体１が予期せず開いてしまうことが抑制される。
【００３５】
＜第２実施形態：形態（β）＞
第２実施形態の嵌合具３０は、図７に示すように、一対の帯状の第１の嵌合部材３１と第２の嵌合部材３４とを有する。
第１の嵌合部材３１は、帯状の第１の基材３２と、第１の基材３２の対向面３２ａに長手方向に沿って設けられた突条の雄型嵌合部３３と、を有する。雄型嵌合部３３は、第１の基材３２の対向面３２ａから立ち上がる突条の幹部３３ａと、幹部３３ａの先端部に設けられた幹部３３ａよりも大きい頭部３３ｂと、を有する。
第２の嵌合部材３４は、帯状の第２の基材３５と、第２の基材３５の対向面３５ａに長手方向に沿って設けられ、雄型嵌合部３３と着脱自在に嵌合する雌型嵌合部３６と、を有する。雌型嵌合部３６は、第２の基材３５の対向面３５ａから立ち上がる突条の首部３６ａと、首部３６ａの先端部に設けられた、断面円弧状に立ち上がる第１のアーム部３６ｂ及び第２のアーム部３６ｃからなる。雌型嵌合部３６には、第１のアーム部３６ｂと第２のアーム部３６ｃによって凹部３６ｄが形成されている。
嵌合具３０では、雄型嵌合部３３の頭部３３ｂを雌型嵌合部３６の凹部３６ｄに嵌め込むことで、雄型嵌合部３３と雌型嵌合部３６を着脱自在に嵌合できるようになっている。
【００３６】
（第１の嵌合部材）
第１の基材３２の態様としては、嵌合具１０の第１の基材１２と同じ態様が挙げられ、好ましい態様も同じである。
【００３７】
嵌合具３０の雄型嵌合部３３の態様は、嵌合具１０の雄型嵌合部１３の態様と同じであり、好ましい態様も同じである。
具体的には、嵌合具３０では、雄型嵌合部３３の幹部３３ａが、雄型嵌合部３３の頭部３３ｂ及び第１の基材３２を形成する樹脂よりも軟質な樹脂で形成されている。すなわち、雄型嵌合部３３の幹部３３ａが、雄型嵌合部３３の頭部３３ｂ及び第１の基材３２よりも軟質になっている。
【００３８】
（第２の嵌合部材）
第２の基材３５の態様としては、嵌合具１０の第２の基材１５と同じ態様が挙げられ、好ましい態様も同じである。
【００３９】
嵌合具３０では、雌型嵌合部３６の首部３６ａが、第１のアーム部３６ｂ、第２のアーム部３６ｃ及び第２の基材３５を形成する樹脂よりも軟質な樹脂で形成されている。すなわち、雌型嵌合部３６の首部３６ａが、第１のアーム部３６ｂ、第２のアーム部３６ｃ及び第２の基材３５よりも軟質になっている。これにより、嵌合具３０を取り付けた嵌合部付き袋体の内圧が高くなって第２の基材３５の内容物側が広がっても、雌型嵌合部３６の首部３６ａが折れ曲がることで、雄型嵌合部３３の頭部３３ｂが雌型嵌合部３６の凹部３６ｄに嵌まり込んだ状態が維持されやすくなる。その結果、嵌合具３０で閉じた袋体の開口部が予期せず開くことが抑制される。
雄型嵌合部３３の形状は、首部３６ａ、第１のアーム部３６ｂ及び第２のアーム部３６ｃを有する以外は公知の形状を採用できる。
【００４０】
首部３６ａの曲げ弾性率ＥＤは、１００〜８００ＭＰａが好ましく、１００〜５００ＭＰａがより好ましい。首部３６ａの曲げ弾性率ＥＤが下限値以上であれば、成形時の安定性が良く、また、成形物の嵌合時の感触に優れている。首部３６ａの曲げ弾性率ＥＤが上限値以下であれば、袋体の内圧が高まっても雄型嵌合部３３と雌型嵌合部３６の嵌合状態が維持されやすくなる。そのため、嵌合具３０で閉じた袋体の開口部が予期せず開くことがより抑制されやすくなる。
【００４１】
雌型嵌合部３６の第１のアーム部３６ｂ及び第２のアーム部３６ｃの曲げ弾性率ＥＥと首部３６ａの曲げ弾性率ＥＤの差（ＥＥ−ＥＤ）は、５０〜３００ＭＰａが好ましく、５０〜２００ＭＰａがより好ましい。前記差（ＥＥ−ＥＤ）が下限値以上であれば、袋体の内圧が高まっても雄型嵌合部３３と雌型嵌合部３６の嵌合状態が維持されやすくなる。そのため、嵌合具３０で閉じた袋体の開口部が予期せず開くことがより抑制されやすくなる。前記差（ＥＥ−ＥＤ）が上限値以下であれば、成形時の樹脂の相溶性が良く成形しやすい。
【００４２】
第２の基材３５の曲げ弾性率ＥＦと首部３６ａの曲げ弾性率ＥＤの差（ＥＦ−ＥＤ）は、５０〜３００ＭＰａが好ましく、５０〜２００ＭＰａがより好ましい。前記差（ＥＦ−ＥＤ）が下限値以上であれば、袋体の内圧が高まっても雄型嵌合部３３と雌型嵌合部３６の嵌合状態が維持されやすくなる。そのため、嵌合具３０で閉じた袋体の開口部が予期せず開くことがより抑制されやすくなる。前記差（ＥＦ−ＥＤ）が上限値以下であれば、製袋時の加工温度により、成形物に影響が起こりにくい。
【００４３】
雌型嵌合部３６の第１のアーム部３６ｂ及び第２のアーム部３６ｃを形成する樹脂としては、公知の雄型嵌合部で通常用いられる材質を用いることができ、例えば、嵌合具１０の第１の基材１２で挙げたものと同じものが挙げられる。
第１のアーム部３６ｂ及び第２のアーム部３６ｃを形成する樹脂は、１種でもよく、２種以上でもよい。
【００４４】
雌型嵌合部３６の首部３６ａを形成する樹脂としては、第１のアーム部３６ｂ、第２のアーム部３６ｃ及び第２の基材３５を形成する樹脂よりも軟質な樹脂であればよい。首部３６ａを形成する樹脂としては、例えば、嵌合具１０の第１の基材１２で挙げたもののなかから、第１のアーム部３６ｂ、第２のアーム部３６ｃ及び第２の基材３５を形成する樹脂に応じて適宜選択すればよい。首部３６ａを形成する樹脂としては、前記した曲げ弾性率ＥＤの好ましい範囲を満たすものが好ましい。
首部３６ａを形成する樹脂は、１種でもよく、２種以上でもよい。
【００４５】
第２の嵌合部材３４の態様としては、例えば、雌型嵌合部３６の首部３６ａを密度０．８５ｇ／ｃｍ３以上０．９１ｇ／ｃｍ３未満の超低密度ポリエチレンにより形成し、第１のアーム部３６ｂ及び第２のアーム部３６ｃを密度０．９１ｇ／ｃｍ３以上０．９３ｇ／ｃｍ３未満の低密度ポリエチレンにより形成し、第２の基材３５を密度０．９１ｇ／ｃｍ３以上０．９３ｇ／ｃｍ３未満の低密度ポリエチレンにより形成する態様等が挙げられる。
【００４６】
（製造方法）
本発明の嵌合具３０の製造方法は、特に限定されない。第１の嵌合部材３１の製造方法としては、例えば、雄型嵌合部３３の幹部３３ａを形成する材料と、それ以外の部分を形成する材料とを組み合わせた二色押出成形等が挙げられる。第２の嵌合部材３４の製造方法としては、例えば、雌型嵌合部３６の首部３６ａを形成する材料と、それ以外の部分を形成する材料とを組み合わせた二色押出成形等が挙げられる。
【００４７】
［嵌合具付き袋体］
本実施形態の嵌合具付き袋体２（以下、袋体２という。）は、嵌合具１０の代わりに嵌合具３０を具備する以外は、袋体１と同じである。袋体２における袋体１と同じ部分は同符号を付して説明を省略する。
【００４８】
袋体２の嵌合具３０は、図７に示すように、第１の基材３２の外側面３２ｂが袋本体２０の第１の平面部２１に溶着され、第２の基材３５の外側面３５ｂが袋本体２０の第２の平面部２２に溶着されている。また、この例では、嵌合具３０は、雌型嵌合部３６の第２のアーム部３６ｃが内容物側となるように袋本体２０に取り付けられている。
袋体２は、嵌合具３０を用いる以外は公知の方法で製造できる。
【００４９】
（作用効果）
図８に示すように、袋体２は袋体１と同様に開封して上部に開口部２６を形成することができ、開口部２６は嵌合具３０の雄型嵌合部３３と雌型嵌合部３６を着脱することで繰り返し開閉できる。
袋体２においては、嵌合具３０の雄型嵌合部３３が軟質の幹部３３ａの部分で折れ曲がりやすい。また、雌型嵌合部３６も軟質の首部３６ａの部分で折れ曲がりやすい。そのため、雄型嵌合部３３と雌型嵌合部３６とを嵌合した状態で、袋本体２０の内圧が高まって第１の基材３２及び第２の基材３５の内容物側が広がったときに、雌型嵌合部３６が首部３６ａの部分で屈曲し、さらに雌型嵌合部３６も軟質の首部３６ａの部分で屈曲する。これにより、第１の基材３２及び第２の基材３５の内容物側が広がっても、雄型嵌合部３３の頭部３３ｂと雌型嵌合部３６の第２のアーム部３６ｃがそれらの動きに追従しにくくなる。その結果、雄型嵌合部３３と雌型嵌合部３６の嵌合状態が維持されるため、袋体２が予期せず開いてしまうことが抑制される。
【００５０】
なお、形態（β）においては、嵌合具３０のように雄型嵌合部の幹部と雌型嵌合部の首部の両方が軟質になっている嵌合具、及び該嵌合具を具備する嵌合具付き袋体には限定されない。
例えば、図９に例示した嵌合具３０Ａ、及び該嵌合具３０Ａを具備する嵌合具付き袋体２Ａ（以下、袋体２Ａという。）であってもよい。嵌合具３０Ａは、雄型嵌合部３３の幹部３３ａを形成する樹脂が、頭部３３ｂ及び第１の基材３２を形成する樹脂よりも軟質な樹脂となっていないこと以外は、嵌合具３０と同じである。袋体２Ａは、嵌合具３０の代わりに嵌合具３０Ａを具備する以外は袋体２と同じである。嵌合具３０Ａ及び袋体２Ａにおける嵌合具３０及び袋体２と同じ部分は、同符号を付して説明を省略する。
【００５１】
嵌合具３０Ａを具備する袋体２Ａにおいては、雌型嵌合部３６の首部３６ａが屈曲することで、第２の基材３５の内容物側が広がっても、雌型嵌合部３６の第１のアーム部３６ｂ及び第２のアーム部３６ｃがそれらの動きに追従しにくくなる。その結果、雄型嵌合部３３と雌型嵌合部３６の嵌合状態が維持されるため、袋体２Ａが予期せず開いてしまうことが抑制される。
【００５２】
また、図１０に例示した嵌合具３０Ｂ、及び該嵌合具３０Ｂを具備する嵌合具付き袋体２Ｂ（以下、袋体２Ｂという。）であってもよい。嵌合具３０Ｂは、雌型嵌合部３６の首部３６ａを形成する樹脂が、第１のアーム部３６ｂ、第２のアーム部３６ｃ及び第２の基材３５を形成する樹脂よりも軟質な樹脂となっていないこと以外は、嵌合具３０と同じである。袋体２Ｂは、嵌合具３０の代わりに嵌合具３０Ｂを具備する以外は袋体２と同じである。嵌合具３０Ｂ及び袋体２Ｂにおける嵌合具３０及び袋体２と同じ部分は、同符号を付して説明を省略する。
【００５３】
嵌合具３０Ｂを具備する袋体２Ｂにおいては、雄型嵌合部３３の幹部３３ａが屈曲することで、第１の基材３２の内容物側が広がっても雄型嵌合部３３の頭部３３ｂがその動きに追従しにくくなり、雄型嵌合部３３と雌型嵌合部３６の嵌合状態が維持される。その結果、袋体２Ｂが予期せず開いてしまうことが抑制される。
【００５４】
［他の実施形態］
なお、本発明の嵌合具及び嵌合具付き袋体は、前述した形態には限定されない。
例えば、本発明の嵌合具付き袋体は、前記したような嵌合具１０，３０，３０Ａ，３０Ｂ以外の本発明の嵌合具を具備する嵌合具付き袋体であってもよい。
また、嵌合具付き袋体の袋本体は特に限定されず、嵌合具付き袋体の袋本体として公知の様々な形態の袋本体を採用できる。例えば、袋体１，２，２Ａ，２Ｂは切断補助線を利用して開封するまでは密封状態の袋体であるが、予め開口部が形成された袋本体を有する嵌合具付き袋体であってもよい。
【符号の説明】
【００５５】
１，２，２Ａ，２Ｂ  嵌合具付き袋体
１０  嵌合具
１１  第１の嵌合部材
１２  第１の基材
１３  雄型嵌合部
１３ａ  幹部
１３ｂ  頭部
１４  第２の嵌合部材
１５  第２の基材
１６  雌型嵌合部
１６ａ  第１のアーム部
１６ｂ  第２のアーム部
１６ｃ  凹部
２０  袋本体
３０，３０Ａ，３０Ｂ  嵌合具
３１  第１の嵌合部材
３２  第１の基材
３３  雄型嵌合部
３３ａ  幹部
３３ｂ  頭部
３４  第２の嵌合部材
３５  第２の基材
３６  雌型嵌合部
３６ａ  首部
３６ｂ  第１のアーム部
３６ｃ  第２のアーム部
３６ｄ  凹部
【図１】
2016037316.tif 000003
【図２】
2016037316.tif 000004
【図３】
2016037316.tif 000005
【図４】
2016037316.tif 000006
【図５】
2016037316.tif 000007
【図６】
2016037316.tif 000008
【図７】
2016037316.tif 000009
【図８】
2016037316.tif 000010
【図９】
2016037316.tif 000011
【図１０】
2016037316.tif 000012
【図１１】
2016037316.tif 000013
【図１２】
2016037316.tif 000014